(57)【要約】【課題】インクジェット記録ヘッドの小型化【解決手段】記録素子基板を有するヘッドユニットと、インクタンクとの装着部を有するジョイントユニットとを弾性部材を介して固定する構成であり、前記ヘッドユニットの接続部には多孔質部材が配置され、前記弾性部材は前記多孔質部材周囲を密閉する構成をもつインクジェット記録ヘッドにおいて、前記固定部が前記多孔質部材の外接四角形と重なる領域を有する位置関係にある。【選択図】図２
2016088064.tif 000002
【特許請求の範囲】
【請求項１】
記録素子基板を有するヘッドユニットと、インクタンクとの接続部を有するジョイントユニットとを接続する構成であり、前記ヘッドユニットの接続部には多孔質部材が設けられ、前記多孔質部材の周囲に配置された弾性部材は前記多孔質部材周囲を密閉し、密閉状態を維持するための固定部を有するインクジェット記録ヘッドにおいて、前記固定部は前記多孔質部材の外接四角形と重なる領域を有することを特徴とするインクジェット記録ヘッド。
【請求項２】
隣接する前記多孔質部材周囲に配置される前記弾性部材の密閉状態が同一の固定部で維持されることを特徴とする請求項１に記載のインクジェット記録ヘッド。
【請求項３】
前記インクジェット記録ヘッドにダイヤフラム機構を有する部材が構成されていることを特徴とする請求項１又は請求項２に記載のインクジェット記録ヘッド。
【請求項４】
前記弾性部材がダイヤフラム機構を有することを特徴とする請求項３に記載のインクジェット記録ヘッド。
【発明の詳細な説明】
【技術分野】
【０００１】
本発明は、液体を吐出して記録を行うインクジェット記録ヘッド及びインクジェット記録装置に関するものであり、さらに詳しくは、インクジェット記録ヘッド内に構成されるフィルターに関する。
【背景技術】
【０００２】
インクジェットプリンタにおいて、プリンタ本体サイズの小型化や印字スピードアップが求められる。インクジェット記録ヘッドからの吐出に影響する異物の流入を防止するためインク導入部にはフィルターを配置する構成となっている。オンキャリッジ方式と呼ばれるインクタンクをキャリッジ上に配置する方式において、インクジェット記録ヘッドはインクタンクを装着するジョイントユニットと液体を吐出して記録を行う記録素子基板を有するヘッドユニットからなり、ジョイントユニットとヘッドユニットの接続部にフィルターを設ける構成のものがある（特許文献１参照）。
【０００３】
ジョイントユニットとヘッドユニットの接続部は弾性部材によりシールした状態で固定される。必要なインク流量を確保するためのフィルター面積と接続部のシール領域および固定部によりジョイントユニットとヘッドユニットとの接続領域のサイズが決まる。該接続領域のサイズはインクジェット記録ヘッドのサイズに寄与し、プリンタ本体のサイズに影響する領域である。
【先行技術文献】
【特許文献】
【０００４】
【特許文献１】特開２００８−２８４８７７号公報
【発明の概要】
【発明が解決しようとする課題】
【０００５】
従来、フィルターの形状は円形および四角形といった形状であった。ヘッドユニットとジョイントユニットからなるインクジェット記録ヘッドにおいて、前記形状のフィルターを設けた場合、ジョイントユニットとヘッドユニットを接続するための固定部を構成すると、隣接する固定部間の領域には機能を持たない領域、すなわちデッドスペースが多く必要となる。そのため、デッドスペース分は接続領域のサイズに影響するので、結果としてインクジェット記録ヘッドのサイズは必要以上に大きくなるおそれがある。
【０００６】
本発明の目的は、上述の課題を鑑み、フィルター面積に対して、ジョイントユニットとヘッドユニットの接続を確保しつつインクジェット記録ヘッドのサイズを最小化することが可能なインクジェット記録ヘッドを提供することにある。
【課題を解決するための手段】
【０００７】
上記目的を達成するために、本発明のインクジェット記録ヘッドは、記録素子基板を有するヘッドユニットと、インクタンクとの装着部を有するジョイントユニットとを弾性部材を介して固定する構成であり、前記ヘッドユニットの接続部には多孔質部材が配置され、前記弾性部材は前記多孔質部材周囲を密閉する構成をもつインクジェット記録ヘッドにおいて、前記固定部が前記多孔質部材の外接四角形と重なる領域を有する位置関係にあることを特徴とする。
【発明の効果】
【０００８】
本発明のインクジェット記録ヘッドによれば、ジョイントユニットとヘッドユニット接続領域を効率的に使用可能なため、インクジェット記録ヘッドのサイズを最小化することが可能である
【図面の簡単な説明】
【０００９】
【図１（ａ）】本発明の第一の実施例を説明するインクジェット記録ヘッドの分解斜視図
【図１（ｂ）】本発明の第一の実施例を説明するインクジェット記録ヘッドの斜視図
【図１（ｃ）】本発明の第一の実施例を説明するインクジェット記録ヘッドの断面模式図
【図２】図１のヘッドユニットの上面模式図
【図３】（ａ）は本発明の第二の実施例を説明するインクジェット記録ヘッドの断面模式図、（ｂ）はヘッドユニットの上面模式図
【発明を実施するための形態】
【００１０】
以下、図面を参照して本発明の実施の形態を詳細に説明する。図１から図３は本発明に係る実施形態としてのインクジェット記録ヘッドを説明するための説明図である。
【００１１】
図１（ａ）は本発明の第一の実施例を説明するインクジェット記録ヘッドの分解斜視図である。図１（ｂ）は、本発明の第一の実施例を説明するインクジェット記録ヘッドの斜視図である。図１（ｃ）は本発明の第一の実施例を説明するインクジェット記録ヘッドの断面模式図である。
【００１２】
インクジェット記録ヘッド１は、インクタンクとの装着部６を有するジョイントユニット２と、液体を吐出するための記録素子基板を有するヘッドユニット３からなる。ジョイントユニット２とヘッドユニット３は多孔質部材４周囲に設けられた弾性部材５を挟んで固定される。本実施例では固定部はビス７で説明しているが接着剤、熱加締め等、弾性部材５のシール性を保持できるものであれば構わない。
【００１３】
液体はジョイントユニット２に設けられたインクタンクとの装着部６から供給される。ジョイントユニット２から供給された液体は、ヘッドユニット３に設けられた多孔質部材４を通過し、ヘッドユニット３内に形成される流路を通り記録素子基板８に形成される複数の吐出口から吐出される。
【００１４】
図２はヘッドユニット３のジョイントユニット２との接続部を上面からみた模式図である。多孔質部材４周囲には接続部をシールするための弾性部材５を有し、その外側に固定部が設けられる。固定部は多孔質部材４の外接四角形と重なる領域を有する位置に配置されている。本実施例によると、ジョイントユニット２とヘッドユニット３の接続領域においては多孔質部材４と弾性部材５および固定部で構成されており、デッドスペースの少ない高効率な配置となる。
【００１５】
本構成によると、同一の多孔質部材面積を有するインクジェット記録ヘッドとしてサイズを最小限に抑えることが可能となる。さらには、図２に示すよう、隣接する多孔質部材間の固定部を共有することにより隣接する多孔質部材間のシール性を確保しながら、固定部の領域を削減することが可能なため、より一層の小型化が可能となる。
【００１６】
図３の（ａ）に本発明の第２の実施例におけるインクジェット記録ヘッド１の断面模式図を示す。ヘッドユニット３とジョイントベース２との間に多孔質部材４に加え、ダイヤフラム９を設けた構成となっている。ダイヤフラム９を駆動することにより、ジョイントユニット２内の気体とインクタンク内の液体を置換し、ジョイントユニット２内に液体を充填することが可能となる。
【００１７】
ダイヤフラム９が下方向へ変位するとインクタンクの装着部６から液体が供給される。ダイヤフラム９が上方向へ変位するとジョイントユニット２内の気体がインクタンクへ戻される。ヘッドユニットに設けた空間の体積変動によりダイヤフラムを駆動する構成の場合には、ダイヤフラム側の空間と多孔質部材下の空間との間を確実にシールする必要がある。
【００１８】
図３の（ｂ）に本発明の第二の実施例におけるヘッドユニットの上面模式図を示す。同図に示すよう、多孔質部材４が固定部の領域部退避する形状となり、ジョイントユニット２とヘッドユニット３の接続領域のデッドスペースが抑制できる。
【００１９】
本構成によると、固定部がダイヤフラム９と多孔質部材４の間に近づく位置に配置可能であるため、ダイヤフラム９と多孔質部材４間のシール性が向上し、より信頼性の高いインクジェット記録ヘッドの製造が可能である。
【符号の説明】
【００２０】
１  インクジェット記録ヘッド、２  ジョイントユニット、３  ヘッドユニット、
４  多孔質部材、５  弾性部材、６  インクタンク装着部、７  固定部（ビス）、
８  記録素子基板、９  ダイヤフラム
【図１（ａ）】
2016088064.tif 000003
【図１（ｂ）】
2016088064.tif 000004
【図１（ｃ）】
2016088064.tif 000005
【図２】
2016088064.tif 000006
【図３】
2016088064.tif 000007